(57)【要約】【課題】本発明は、屋内で発生した異常を屋外に通知するシステムを低コストで導入することができる技術を提供する。【解決手段】本発明は、家屋内外間における屋内外通信を可能とするドアホンシステムであって、センサー部４０、中継機３０および室外機１０を有する。センサー４０は、家屋１００内に設置される。中継機３０は、センサー４０から送信される検出信号の内容に応じて、ライト制御信号を出力する。室外機１０は、家屋１００外に設置される。また、室外機１０は、室内機２０との屋内外通信を行うための通信部と、ライト制御信号に応じて光の点灯を行うライト部４とを有している。【選択図】  図１
2009111673.tif 000002
【特許請求の範囲】
【請求項１】
家屋内外間における屋内外通信を可能とするドアホンシステムであって、
屋内に設置されるセンサーと、
前記センサーから送信される検出信号の内容に応じて、ライト制御信号を出力する中継機と、
前記屋内に設置された室内機との前記屋内外通信を行うための通信部と、前記ライト制御信号に応じて光の点灯を行うライト部とを有しており、屋外に設置される室外機とを、
備えている、
ことを特徴とするドアホンシステム。
【請求項２】
前記中継機は、
前記室内機と前記室外機との間における前記屋内外通信も中継することができ、
前記中継機と前記室外機との間における、前記ライト制御信号の送受信に使用される第一の周波数帯域は、
前記中継機と前記室外機との間における、前記屋内外通信の際に使用される第二の周波数帯域とは、異なる、
ことを特徴とする請求項１に記載のドアホンシステム。
【請求項３】
前記室内機は、
外部からの操作が可能な入力部と、
前記入力部が操作されたときに生成される入力信号を送信する入力信号送信部とを、
有しており、
前記中継機は、
前記室内機から送信される前記入力信号に応じて、前記ライト制御信号を出力することができる、
ことを特徴とする請求項１に記載のドアホンシステム。
【請求項４】
前記室外機は、
音声出力部を、有しており、
前記入力信号が操作されたとき、前記室外機は、
前記光の点灯と共に、所定の音声を前記音声出力部より出力する、
ことを特徴とする請求項３に記載のドアホンシステム。
【請求項５】
前記室内機は、
複数であり、
前記検出信号を受信した前記中継機は、
各前記室内機に対して、前記センサーの検出結果の内容および前記検出信号を送信した前記センサーの設置場所を通知し、
前記各室内機は、
前記センサーの検出結果の内容および前記センサーの設置場所を出力する、
ことを特徴とする請求項１に記載のドアホンシステム。
【請求項６】
前記中継機は、
前記ライト制御信号を送信する前に、前記室外機の電源をＯＮ状態にする、
ことを特徴とする請求項１に記載のドアホンシステム。
【請求項７】
前記室内機は、
解除操作部を、
有しており、
前記解除操作部が操作されたときには、前記中継機は、
前記室外機に対して、ライト点灯解除信号を送信する、
ことを特徴とする請求項１に記載のドアホンシステム。
【請求項８】
前記解除操作部が操作されたときには、前記中継機は、
前記室外機に対して、前記ライト点灯解除信号を送信した後、前記室外機の電源をＯＦＦ状態にする、
ことを特徴とする請求項７に記載のドアホンシステム。
【発明の詳細な説明】
【技術分野】
【０００１】
この発明は、ドアホンシステムに係る発明であり、特に、屋内で発生した異常を屋外に通知することができるドアホンシステムに関する。
【背景技術】
【０００２】
従来より、屋内で発生した異常を屋外に通知するホームセキュリティシステムが存在する。
【０００３】
当該ホームセキュリティシステムでは、たとえば、屋内で異常が発生し、ユーザが所定のボタンを押す。そうすると、屋外に設置された異常通知装置により、異常が屋内で発生していることが屋外に通知される。
【０００４】
なお、住宅に導入されるセキュリティシステムに関する技術の一例として、たとえば特許文献１が存在する。
【０００５】
【特許文献１】特開２００４−１３５１９７号公報
【発明の開示】
【発明が解決しようとする課題】
【０００６】
しかしながら、上記ホームセキュリティシステムを既存の家屋に導入する場合には、屋外に別途異常通知装置を設置する必要がある。つまり、異常通知装置を設置するために、壁等に配線工事などが必要となる。よって、上記ホームセキュリティシステムの導入には、多大なコストを要するという問題があった。
【０００７】
そこで、本発明は、屋内で発生した異常を屋外に通知するシステムを、低コストで導入することができる技術を提供することを目的とする。
【課題を解決するための手段】
【０００８】
上記の目的を達成するために、本発明に係る請求項１に記載のドアホンシステムは、家屋内外間における屋内外通信を可能とするドアホンシステムであって、屋内に設置されるセンサーと、前記センサーから送信される検出信号の内容に応じて、ライト制御信号を出力する中継機と、前記屋内に設置された室内機との前記屋内外通信を行うための通信部と、前記ライト制御信号に応じて光の点灯を行うライト部とを有しており、屋外に設置される室外機とを、備えている。
【０００９】
また、請求項２に記載のドアホンシステムは、請求項１に記載のドアホンシステムであって、前記中継機は、前記室内機と前記室外機との間における前記屋内外通信も中継することができ、前記中継機と前記室外機との間における、前記ライト制御信号の送受信に使用される第一の周波数帯域は、前記中継機と前記室外機との間における、前記屋内外通信の際に使用される第二の周波数帯域とは、異なる。
【００１０】
また、請求項３に記載のドアホンシステムは、請求項１に記載のドアホンシステムであって、前記室内機は、外部からの操作が可能な入力部と、前記入力部が操作されたときに生成される入力信号を送信する入力信号送信部とを、有しており、前記中継機は、前記室内機から送信される前記入力信号に応じて、前記ライト制御信号を出力することができる。
【００１１】
また、請求項４に記載のドアホンシステムは、請求項３に記載のドアホンシステムであって、前記室外機は、音声出力部を、有しており、前記入力信号が操作されたとき、前記室外機は、前記光の点灯と共に、所定の音声を前記音声出力部より出力する。
【００１２】
また、請求項５に記載のドアホンシステムは、請求項１に記載のドアホンシステムであって、前記室内機は、複数であり、前記検出信号を受信した前記中継機は、各前記室内機に対して、前記センサーの検出結果の内容および前記検出信号を送信した前記センサーの設置場所を通知し、前記各室内機は、前記センサーの検出結果の内容および前記センサーの設置場所を出力する。
【００１３】
また、請求項６に記載のドアホンシステムは、請求項１に記載のドアホンシステムであって、前記中継機は、前記ライト制御信号を送信する前に、前記室外機の電源をＯＮ状態にする。
【００１４】
また、請求項７に記載のドアホンシステムは、請求項１に記載のドアホンシステムであって、前記室内機は、解除操作部を有しており、前記解除操作部が操作されたときには、前記中継機は、前記室外機に対して、ライト点灯解除信号を送信する。
【００１５】
また、請求項８に記載のドアホンシステムは、請求項７に記載のドアホンシステムであって、前記解除操作部が操作されたときには、前記中継機は、前記室外機に対して、前記ライト点灯解除信号を送信した後、前記室外機の電源をＯＦＦ状態にする。
【発明の効果】
【００１６】
本発明の請求項１に記載のドアホンシステムは、家屋内外間における屋内外通信を可能とするドアホンシステムであって、屋内に設置されるセンサーと、センサーから送信される検出信号の内容に応じて、ライト制御信号を出力する中継機と、屋内に設置された室内機との屋内外通信を行うための通信部と、ライト制御信号に応じて光の点灯を行うライト部とを有しており、屋外に設置される室外機とを、備えている。
【００１７】
したがって、セキュリティ機能の導入に伴い既存のドアホンシステムを利用できるので、壁等への新たな配線工事等を省略できる。つまり、屋内で発生した異常を屋外に通知するシステムを、低コストで導入することができる。
【００１８】
また、請求項２に記載のドアホンシステムは、中継機は、室内機と室外機との間における屋内外通信も中継することができ、中継機と室外機との間における、ライト制御信号の送受信に使用される第一の周波数帯域は、中継機と室外機との間における、屋内外通信の際に使用される第二の周波数帯域とは、異なる。
【００１９】
したがって、たとえば室外機と室内機との間で会話をしている最中（つまり、屋内外通信中）でも、異常を通知するための室外機のライト部の制御が可能となる。換言すれば、ライト部の光点灯制御中においても、室内機と室外機とを用いた屋内外間の会話を行うことができる。
【００２０】
また、請求項３に記載のドアホンシステムは、室内機は、外部からの操作が可能な入力部と、入力部が操作されたときに生成される入力信号を送信する入力信号送信部とを、有しており、中継機は、室内機から送信される入力信号に応じて、ライト制御信号を出力することができる。
【００２１】
したがって、家屋内に存するユーザに対して緊急事態が発生したとしても、ユーザは当該入力部の操作を行うだけで、屋外に存する室外機を通して、当該緊急事態を屋外の通行人または隣人等に通知することができる。
【００２２】
また、請求項４に記載のドアホンシステムは、室外機は、音声出力部を、有しており、入力信号が操作されたとき、室外機は、光の点灯と共に、所定の音声を音声出力部より出力する。
【００２３】
したがって、家屋外に存する通行人または隣人等に、家屋内で緊急事態が発生したことをより明確に通知することができる。
【００２４】
また、請求項５に記載のドアホンシステムは、室内機は複数であり、検出信号を受信した中継機は、各室内機に対して、センサーの検出結果の内容および検出信号を送信したセンサーの設置場所を通知し、各室内機は、センサーの検出結果の内容およびセンサーの設置場所を出力する。
【００２５】
したがって、異常が発生した場所と異なる場所に存するユーザは、家屋内における異常発生場所と、発生した異常の種類とを、早急にかつ明確に認識することができる。よって、ユーザは、当該異常に対して早急に対処することができる。
【００２６】
また、請求項６に記載のドアホンシステムは、中継機は、ライト制御信号を送信する前に、室外機の電源をＯＮ状態にする。
【００２７】
したがって、室外機の待機電力の削減を図ることができる。
【００２８】
また、請求項７に記載のドアホンシステムは、室内機は、解除操作部を有しており、解除操作部が操作されたときには、中継機は、室外機に対して、ライト点灯解除信号を送信する。
【００２９】
したがって、異常・緊急事態が解消された後に、ユーザはライト部の点灯を解除できる。
【００３０】
また、請求項８に記載のドアホンシステムは、解除操作部が操作されたときには、中継機は、室外機に対して、ライト点灯解除信号を送信した後、室外機の電源をＯＦＦ状態にする。
【００３１】
したがって、ライト部の消灯後においても、室外機の待機電力の削減を図ることができる。
【発明を実施するための最良の形態】
【００３２】
以下、この発明をその実施の形態を示す図面に基づいて具体的に説明する。
【００３３】
＜実施の形態１＞
図１は、本実施の形態に係るドアホンシステムの構成を示す概略図である。
【００３４】
ドアホンシステム２００は、室外機１０、室内機２０、中継機３０、およびセンサー４０により構成されている。室外機１０は、家屋１００外に設置される。また、室内機２０、中継機３０およびセンサー４０は、家屋内１００内に設置される。ドアホンシステム２００では、室外機１０および室内機２０を用いて、家屋１００内外間における音声・映像通信等の屋内外通信を行うことができる。つまり、室外機１０および室内機２０は、共に通信部を有しており、当該通信部を介して、両機１０，２０間において、映像・音声の相互通信（屋内外通信）が実施される。
【００３５】
さらに、本発明に係るドアホンシステム２００は、家屋１００内で発生した異常を、家屋１００外に通知することができるセキュリティ機能も有している。
【００３６】
室外機１０の外観を図２に示す。
【００３７】
室外機１０は、室内機２０との間において、音声・映像通信等の屋内外通信を行うことができる装置である。具体的に、室外機１０と室内機２０との間では、音声信号の送受信および映像信号の送受信が行われる。室外機１０は、図２に示すように、呼び出しボタン１、カメラ２、音声入出力部３およびライト部４を備えている。
【００３８】
呼び出しボタン１は、来客者が家屋１００内に訪問を知らせるときに、使用される。当該読み出しボタン１が入力されると、呼び出し信号が室外機１０から室内機２０に向けて送信される。そして、当該呼び出し信号を受信した室内機２０からは、呼び出し音が出力される。カメラ２は、来客者を撮像することができる装置である。当該カメラ２で撮像した映像信号は、室内機２０に向けて送信される。音声入出力部３は、来客者の音声を受信することができ、また室内機２０からの音声を出力することができる。ライト部４は、フラッシュライト等であり、後述するライト制御信号に応じて光（フラッシュ光）の点灯を行う。
【００３９】
なお、図２では図示していないが、室外機１０は、室内機２０で撮像された映像を表示することができる表示部を備えていても良い。
【００４０】
室内機２０の外観を図３に示す。
【００４１】
室内機２０は、上記の通り室外機１０との間で、音声・映像通信等の屋内外通信を行うことができる装置である。したがって、当該室内機２０は、図３に示すように、室外機１０との通話の際に用いられる音声入出力部２１を備えている。また、室内機２０は、室外機１０のカメラ２で撮像された映像を表示する表示部２２も備えている。なお、図３では図示を省略しているが、室内機２０は、室内の様子を撮像するカメラを備えていても良い。たとえば上記の通り、当該カメラで撮像された映像は、室外機１０で表示させることができる。
【００４２】
なお、室内機２０は１台に限らず、複数台存在しても良い。また、室内機２０は、所定の箇所に設置・固定する固定タイプであっても、持ち運び可能なハンディタイプであっても良い。
【００４３】
中継機３０は、室外機１０と室内機２０との間における、音声・映像通信等の上記屋内外通信を中継する装置である。また、中継機３０は、センサー４０と室外機１０との間における通信も中継する。また、室内機２０が複数存在する場合には、室内機２０間の通信も中継することができる。さらに、本実施の形態に係る中継機３０は、センサー４０から送信される検出信号の内容に応じて、ライト制御信号を生成・出力することができる。ここで、ライト制御信号は、室外機１０のライト部４の光の点灯を制御するための信号である。
【００４４】
なお、中継機３０と室外機１０との間でライト制御信号の送受信が行われる場合には、中継機３０と室外機１０との間において、第一の周波数帯域を利用される。これに対して、中継機３０で上記屋内外通信が中継される場合には、当該屋内外通信のための映像・音声信号を送受信するために、中継機３０と室外機１０との間において、第二の周波数帯域を利用される。つまり、中継機３０と室外機１０との間において、ライト制御信号の送受信のための使用される帯域は、上記屋内外通信の際に使用される帯域とは異なる。なお、第一の周波数帯域としては、上記第二の周波数帯域とは容易に分離できる帯域であり、ノイズ耐性の強い帯域であることが望ましい。
【００４５】
センサー４０は、家屋１００内の異常を検知する装置である。当該センサー４０として、人体検知センサー、窓開閉検知センサー、火災検知センサー、およびガス漏れ検知センサー等が採用できる。屋内に設置されたセンサー４０が異常を検出すると、当該センサー４０は、中継機３０に対して検出信号を送信する。
【００４６】
なお、室外機１０、室内機２０、中継機３０、およびセンサー４０相互間の通信は、有線であっても無線であっても良い。
【００４７】
次に、本発明に係るドアホンシステム２００の動作について、図１，２，４，５等を用いて説明する。ここで、図４は、ライト点灯制御機能と関連する中継機３０内の回路構成を図示したブロック図である。また、図５は、ライト点灯制御機能と関連する室外機１０内の回路構成を図示したブロック図である。
【００４８】
まず、家屋１００内に設置されているセンサー４０が異常を検出したとする。すると、センサー４０は、当該異常検出信号（以下、単に検出信号と称する）を中継機３０に対して送信する。
【００４９】
中継機３０は、検出信号を信号受信部Ｂ３１で受信する。すると、信号受信部Ｂ３１は、受信した信号が検出信号であるか否かを判断する。信号受信部Ｂ３１が、受信した信号が検出信号であると判断したとする。この場合には、ライト制御信号発生部Ｂ３２において、ライト制御信号が生成される。
【００５０】
次に、帯域合成処理部Ｂ３４は、上記第一の周波数帯域を用いて上記で生成されたライト制御信号をアナログ信号として送出できるように、当該ライト制御信号に対して信号処理を実施する。なお、上記屋内外通信に係る音声・映像信号を、中継機３０が室内機２０から受信したとする。この場合には、音声・映像信号は、音声・映像信号出力処理部Ｂ３３を介して、帯域合成処理部Ｂ３４に送信される。帯域合成処理部Ｂ３４では、上記第二の周波数帯域を用いて当該音声・映像信号をアナログ信号として送出できるように、当該音声・映像信号に対して信号処理を実施する。
【００５１】
図６に示すように、第一の周波数帯域と第二の周波数帯域とは、異なる帯域である。ここで、音声信号の送信の際に利用される帯域と、映像信号の送信の際に利用される帯域とは、その信号の特質に鑑みて通常異なる。しかし、上記第一の周波数帯域と区別するために、便宜的に、音声信号の送信の際に利用される帯域も映像信号の送信の際に利用される帯域も、第二の周波数帯域と称する。
【００５２】
帯域合成処理部Ｂ３４で帯域調整されたライト制御信号は、信号送信部Ｂ３５を介して、室外機１０へと送信される。
【００５３】
さて、室外機１０側では、信号受信部Ｂ１１において当該ライト制御信号を受信する。すると、フィルターＢ１２では、第一の周波数帯域からライト制御信号を抽出する。当該抽出されたライト制御信号に基づいて、ライト制御部Ｂ１３は、ライト部４の光の点灯を制御する。
【００５４】
なお、室外機１０のライト部４が点灯、点滅することにより、家屋１００外のたとえば通行人等に、家屋１００内で何らかの異常を発生したことを通知できる。
【００５５】
以上のように、本実施の形態に係るドアホンシステム２００では、通常のドアホン機能だけでなく、家屋１００内での異常を家屋１００外に通知するセキュリティ機能も有する。
【００５６】
つまり、セキュリティ機能の導入に伴い既存のドアホンシステムを利用できるので、壁等への新たな配線工事等を省略できる。つまり、屋内で発生した異常を屋外に通知するシステムを、低コストで導入することができる。
【００５７】
また、上記ドアホンシステム２００では、中継機３０と室外機１０との間における、ライト制御信号の送受信に使用される第一の周波数帯域は、中継機３０と室外機１０との間における、上記屋内外通信の際に使用される第二の周波数帯域とは、異なる。
【００５８】
したがって、たとえば室外機１０と室内機２０との間で会話をしている最中（つまり、屋内外通信中）でも、異常を通知するための室外機１０のライト部４の制御が可能となる。換言すれば、ライト部４の光点灯制御中においても、屋内外の会話を行うことができる。
【００５９】
＜実施の形態２＞
本実施の形態に係るドアホンシステム２００では、実施の形態１の構成に加えて、室内機２０は、図７に示すように、外部からの操作（入力）が可能な入力部２３を備えている。当該入力部２３は、たとえば家屋１００内で緊急事態が発生した場合に、家屋１００内に存するユーザによって操作（入力）される。
【００６０】
さらに、当該室内機２０は、入力信号を送信する入力信号送信部Ｂ２１を備えている。ここで、前記入力信号は、入力部２３が操作（入力）されたときに生成される信号である。当該入力信号送信部Ｂ２１は、室内機２０内に配設されている。したがって、図７では、当該入力信号送信部Ｂ２１の輪郭を点線で図示している。
【００６１】
なお、図７に示すように、室内機２０内において、入力部２３と入力信号送信部Ｂ２１とは、配線Ｂ２２を介して接続されている。
【００６２】
次に、本実施の形態に係るドアホンシステム２００の動作について説明する。
【００６３】
たとえば、家屋１００内に存するユーザに急病等の緊急事態が発生したとする。当該場合には、ユーザは、たとえばハンディタイプの室内機２０に配設された入力部２３を操作（入力）する。すると、入力信号送信部Ｂ２１は、当該入力部２３の操作（入力）を検知する。その後、室内機２０は、入力信号送信部Ｂ２１を介して、上記で説明した入力信号を中継機３０に対して送信する。
【００６４】
中継機３０は、上記入力信号を信号受信部Ｂ３１で受信する。すると、信号受信部Ｂ３１は、受信した信号が入力信号であるか否かを判断する。信号受信部Ｂ３１が、受信した信号が入力信号であると判断したとする。この場合には、ライト制御信号発生部Ｂ３２において、実施の形態１で説明したライト制御信号が生成される。
【００６５】
次に、実施の形態１と同様に、帯域合成処理部Ｂ３４は、上記第一の周波数帯域を用いて当該生成したライト制御信号をアナログ信号として送出できるように、当該ライト制御信号に対して信号処理を実施する。
【００６６】
帯域合成処理部Ｂ３４で帯域調整されたライト制御信号は、信号送信部Ｂ３５を介して、室外機１０へと送信される。
【００６７】
さて、室外機１０側では、信号受信部Ｂ１１において当該ライト制御信号を受信する。すると、フィルターＢ１２では、第一の周波数帯域からライト制御信号を抽出する。当該抽出されたライト制御信号に基づいて、ライト制御部Ｂ１３は、ライト部４の光の点灯を制御する。室外機１０のライト部４が点灯、点滅することにより、家屋１００外のたとえば通行人等に、家屋１００内で何らかの異常を発生したことを通知できる。
【００６８】
なお、上記以外の構成・動作は、実施の形態１で説明した内容と同じである。
【００６９】
以上のように、本実施の形態に係るドアホンシステム２００では、室内機２０がユーザによる外部操作が可能な入力部２３を備えている。そして、当該入力部２３が操作された場合も、中継機３０はライト制御信号を生成し、当該ライト制御信号に基づいて室外機１０は光の点灯を行う。
【００７０】
したがって、家屋１００内に存するユーザに対して緊急事態が発生したとしても、ユーザが入力部２３を操作するだけで、室外機１０を通して、当該緊急事態を屋外にの通行人または隣人等に通知することができる。
【００７１】
なお、中継機３０が上記入力信号を受信したときに、当該中継機３０は、ライト制御信号を室外機１０に対して送信すると共に、音声制御信号を室外機１０に対して送信しても良い。当該音声制御信号を受信した室外機１０は、音声入出力部３を通して、所定の周期で、所定の音声（たとえば、「助けて！」）を周期的に出力する。当該音声制御信号は、上記第一の周波数帯域を利用して室外機１０へ送信される。また、当該所定の音声は、たとえば室外機１０に予め設定・記憶されている。
【００７２】
また、中継機３０が上記入力信号を受信したときに、当該中継機３０は、ライト制御信号を室外機１０に対して送信すると共に、所定の音声信号を室外機１０に対して送信しても良い。ここで、当該所定の音声信号は、予め中継機３０に設定・記憶されている。また、当該所定の音声信号は、上記第二の周波数帯域を利用して室外機１０へ送信される。当該所定の音声信号を受信した室外機１０では、フィルターＢ１２において、第二の周波数帯域から音声信号を抽出する。そして、室外機１０の音声入出力部３は、当該抽出された音声信号に基づいて、たとえば「助けて！」等の音声を周期的に出力する。
【００７３】
以上のように、本実施の形態では、入力部２３に対して操作が施されたときに、室外機１０は、光の点灯（点滅）だけでなく、所定の音声も出力できる。したがって、家屋１００外に存する通行人または隣人等に、家屋１００内で緊急事態が発生したことをより明確に通知することができる。
【００７４】
＜実施の形態３＞
本実施の形態に係るドアホンシステム４００では、図８に示すように、複数の室内機２０が家屋１００内に設置されている。また、複数・複数種類のセンサー４０も家屋１００内に設置されている。たとえば、図８に示すように、各室内機２０および各センサー４０は、家屋１００の１階、２階に渡って配設されている。
【００７５】
各室内機２０は、固定タイプであっても持ち運び可能はハンディタイプであっても良い。また、各室内機２０は、図３，７若しくは後述する図９に示す構成を有している。各室内機２０間では、表示部２２および音声入出力部２１を用いて、映像を見ながらの通信（会話）が可能である。なお、当該各室内機２０間の通信は、中継機３０を中継して行われる。ここで、各室内機２０と中継機３０との間は、有線で接続されていても、無線で接続されていても良い。
【００７６】
各センサー４０は、実施の形態１で例示した各種センサーである。なお、各センサー４０から送信される検出信号は、中継機３０に送信される。ここで、各センサー４０と中継機３０との間は、有線で接続されていても、無線で接続されていても良い。
【００７７】
また、本実施の形態では、中継機３０は、実施の形態１で説明した動作に加えて次の動作も行う。
【００７８】
つまり、実施の形態１で説明したように、センサー４０が異常を検出し、検出信号を送信したとする。すると、当該検出信号を受信した中継機３０は、各室内機２０に対して、センサー４０の検出結果の内容および検出信号を送信したセンサー４０の設置場所を通知する。
【００７９】
たとえば、２階の子供部屋に設置されている火災検知センサー４０が、火災が発生したことを検出したとする。この場合、当該火災センサー４０は、火災の発生の検出を示す検出信号を、中継機３０へ送信する。当該検出信号を受信した中継機３０は、当該検出信号がどこのセンサー４０からの送信されたものかを判別する。さらに、当該中継機３０は、検出信号がどのような異常の検出の結果送信されたものかを判別する。
【００８０】
これらの判別の結果、中継機３０は、各室内機２０に対して、火災の発生の旨（センサー４０の検出結果の内容）、および異常の発生場所が２階の子供部屋である旨（検出信号を送信したセンサー４０の設置場所）を通知する。
【００８１】
すると、各室内機２０では、センサーの検出結果の内容およびセンサーの設置場所が出力される。具体的に、各室内機２０では、たとえば、表示部２２および音声入出力部２１を介して、２階の子供部屋で火災が発生した旨が通知（出力）される。
【００８２】
なお、上記以外の構成・動作は、実施の形態１で説明した内容と同じである。
【００８３】
以上のように、本実施の形態に係るドアホンシステム４００では、各室内機２０に対して、センサー４０が検出した異常の内容および異常を検出したセンサー４０の設置場所が通知される。
【００８４】
したがって、異常が発生した場所と異なる場所に存するユーザは、異常の発生した場所と、発生した異常の種類（内容）とを、早急にかつ明確に認識することができる。よって、ユーザは、当該異常に対してい早急に対処することができる。
【００８５】
＜実施の形態４＞
本実施の形態に係る室外機１０は、当該室外機１０が使用されていないときには、電源がＯＦＦ状態である構成となっている。
【００８６】
実施の形態１でも説明したように、中継機３０は、ライト部４の光の点灯を制御するために、室外機１０に対してライト制御信号を送信する。本実施の形態では、中継機３０は、当該ライト制御信号を送信する前に、電源がＯＦＦ状態である室外機１０の電源をＯＮ状態にする。つまり、中継機３０は、室外機１０を動作可能状態にした後に、ライト制御信号を送信する。このようにすることにより、室外機１０の無駄な通電を実施せずに済む（待機電力の削減を図ることができる）。
【００８７】
なお、上記以外の構成・動作は、実施の形態１で説明した内容と同じである。
【００８８】
また、室内機２０は、図９に示すように、外部からの操作が可能な解除操作部２４を備えていても良い。室外機１０のライト部４の点灯中に、ユーザが当該解除操作部２４を操作する。すると、解除操作部２４が操作されたことが、室内機２０から中継機３０へと送信される。この送信を受けた中継機３０は、室外機１０に対して、ライト点灯解除信号を送信する。当該ライト点灯解除信号を受信した室外機１０では、ライト部４の点灯を停止する。当該構成により、異常・緊急事態が解消された後に、ユーザはライト部４の点灯を解除できる。なお、討議ライト点灯解除信号は、上記第一の周波数帯域を利用して、室外機１０へ送信される。
【００８９】
ここで、上記解除操作部２４が操作されたときには、中継機３０は、室外機１０に対して、ライト点灯解除信号を送信した後、室外機１０の電源をＯＦＦ状態にする構成も採用できる。当該構成を採用することにより、ライト部４の消灯後においても、室外機１０の無駄な通電をなくすことができる。
【図面の簡単な説明】
【００９０】
【図１】実施の形態１に係るドアホンシステムの構成を示す概略図である。
【図２】室外機の外部構成を示す概略図である。
【図３】室内機の外部構成を示す概略図である。
【図４】中継機の概略内部構成を示すブロック図である。
【図５】室外機の概略内部構成を示すブロック図である。
【図６】第一の周波数帯域と第二の周波数帯域を概念的に示した図である。
【図７】室内機の外部構成を示す概略図である。
【図８】実施の形態３に係るドアホンシステムの構成を示す概略図である。
【図９】室内機の外部構成を示す概略図である。
【符号の説明】
【００９１】
３  （室外機側）音声入出力部
４  ライト部
１０  室外機
２０  室内機
２１  （室内機側）音声入出力部
２２  表示部
２３  入力部
２４  解除操作部
３０  中継機
４０  センサー
１００  家屋
２００，４００  ドアホンシステム
Ｂ２１  入力信号送信部
Ｂ３２  ライト制御信号発生部
Ｂ３４  帯域合成処理部
Ｂ１２  フィルター
Ｂ１３  ライト制御部
【図１】
2009111673.tif 000003
【図２】
2009111673.tif 000004
【図３】
2009111673.tif 000005
【図４】
2009111673.tif 000006
【図５】
2009111673.tif 000007
【図６】
2009111673.tif 000008
【図７】
2009111673.tif 000009
【図８】
2009111673.tif 000010
【図９】
2009111673.tif 000011